(57)【特許請求の範囲】
【請求項１】
ネットワークを構成する複数の通信機器を所定の通信プロトコルを用いて通信してオペレーションシステムが管理する通信機器監視制御方法であって、
前記オペレーションシステムと前記通信機器との間では、前記所定の通信プロトコルを用いる第１コネクションと当該所定の通信プロトコルを用いない第２コネクションとからなる２つのコネクションが確立されており、
前記通信機器から送信されるメッセージであって、前記第２コネクションを介して送信されるメッセージによって、当該通信機器と前記オペレーションシステムの間の前記第１コネクションが切断されたことを認知する、
ことを特徴とする通信機器監視制御方法。
【請求項２】
前記所定の通信プロトコルは、
ＴＣＰ／ＩＰからなる、
ことを特徴とする請求項１に記載の通信機器監視制御方法。
【請求項３】
前記第１コネクションは、
ＴＣＰ／ＩＰを用いて前記通信機器が自律的に通知するメッセージである自律メッセージ及び制御コマンドを通信する論理コネクションであるソフトルートからなり、
前記第２コネクションは、
ＴＣＰ／ＩＰを用いずに前記通信機器の特定の前記自律メッセージ及び特定制御コマンドを通信する論理コネクションであるハードルートからなる、
ことを特徴とする請求項１又は２に記載の通信機器監視制御方法。
【請求項４】
前記通信機器から送信されるメッセージは、
当該通信機器と前記オペレーションシステムの間の前記ソフトルートが切断されたことを示すものであって前記ハードルート経由で送信されるメッセージである、
ことを特徴とする請求項３に記載の通信機器監視制御方法。
【請求項５】
前記通信機器から送信されるメッセージは、
当該通信機器が前記オペレーションシステムに自律的に送信する前記ソフトルート経由のメッセージが一定期間以上送信されていないことを示すメッセージである、
ことを特徴とする請求項３に記載の通信機器監視制御方法。
【請求項６】
前記オペレーションシステムは、
前記通信機器と当該オペレーションシステムの間の前記第１コネクションの切断を認知した場合は、当該第１コネクションの再接続を行ない、当該通信機器の監視を続ける、
ことを特徴とする請求項１、２、３、４又は５に記載の通信機器監視制御方法。
【請求項７】
ネットワークを構成する複数の通信機器につきＴＣＰ／ＩＰを用いて通信して管理する通信機器監視制御方法であって、
前記通信機器のハードルートから、当該通信機器が自律的に通知するメッセージである自律メッセージを受信して、当該自律メッセージの内容から当該通信機器とのコネクションが切断していることを判断する切断判断処理と、
前記通信機器から発せられた前記自律メッセージを監視し、定期的に送られてくるべき当該自律メッセージが定期的に送られているか否かを判断するメッセージ判断処理と、
当該メッセージ判断処理で定期的に送られてくるべき前記自律メッセージが定期的に送られていないと判断された場合に、当該通信機器に対してヘルスチェックの要求をして、コネクションが正常であるか否かを判断するコネクション判断処理と、
前記切断判断処理及び前記コネクション判断処理のいずれかによってコネクションが正常ではないと判断された場合に、当該通信機器に対するコネクションを強制的に切断し、その後に再接続する再接続処理と、
を順次一貫経由して実施してなる、
ことを特徴とする通信機器監視制御方法。
【請求項８】
前記通信機器の管理は、
オペレーションシステムが行なうものであり、
当該オペレーションシステムは、
汎用計算機を有してなる、
ことを特徴とする請求項７に記載の通信機器監視制御方法。
【請求項９】
ネットワークを構成する複数の通信機器と、
当該通信機器につきＴＣＰ／ＩＰを用いて通信して監視及び制御するオペレーションシステムと、を有してなるアソシエーションリフレッシュシステム装置であって、
前記オペレーションシステムと前記通信機器との間では、ＴＣＰ／ＩＰを用いる第１コネクションとＴＣＰ／ＩＰを用いない第２コネクションとからなる２つのコネクションが確立されており、
前記オペレーションシステムは、
前記通信機器から送信されるメッセージであって、前記第２コネクションから送信されるメッセージによって、当該通信機器と当該オペレーションシステムの間の前記第１コネクションが切断されたことを認知する働きを有する、
ことを特徴とするアソシエーションリフレッシュシステム装置。
【請求項１０】
前記第１コネクションは、
ＴＣＰ／ＩＰを用いて、前記通信機器が自律的に通知するメッセージである自律メッセージ及び制御コマンドを通信する論理コネクションであるソフトルートからなり、
前記第２コネクションは、
ＴＣＰ／ＩＰを用いずに、前記通信機器の特定の前記自律メッセージ及び特定制御コマンドを通信する論理コネクションであるハードルートからなる、
ことを特徴とする請求項９に記載のアソシエーションリフレッシュシステム装置。
【請求項１１】
前記通信機器から送信されるメッセージは、
当該通信機器と前記オペレーションシステムの間の前記ソフトルートが切断されたことを示すものであって前記ハードルート経由で送信される第１メッセージと、
当該通信機器が前記オペレーションシステムに自律的に送信する前記ソフトルート経由のメッセージが一定期間以上送信されていないことを示す第２メッセージと、
の内の１つ以上からなる、
ことを特徴とする請求項１０に記載のアソシエーションリフレッシュシステム装置。
【請求項１２】
前記オペレーションシステムは、
前記通信機器と当該オペレーションシステムとの間のコネクションの切断を認知した場合は、当該通信機器に対するコネクションを切断し、当該コネクションの再接続を行ない、当該通信機器の監視を続ける働きを有する、
ことを特徴とする請求項９、１０又は１１に記載のアソシエーションリフレッシュシステム装置。
【請求項１３】
前記オペレーションシステムは、
前記通信機器の警報状況を監視する通信機器監視部と、
前記通信機器と当該オペレーションシステムとのコネクション状態を管理するコネクション管理部と、
前記通信機器と当該オペレーションシステムとのコネクションの確立及び切断を実行する通信機器通信部と、を有してなり、
前記第１コネクション及び前記第２コネクションは、
前記通信機器と前記通信機器通信部との間で確立されており、
前記通信機器監視部は、
前記通信機器監視部によって受信されたメッセージが前記ハードルートを介して送られてきたメッセージであって、前記ソフトルートが切断されていることを示すメッセージである場合と、
所定時間以上にわたって前記通信機器からソフトルートを介して所定のメッセージが前記通知されなかった場合と、の内のいずれか１以上になったときは、
前記ソフトルートが切断されていると判断するものからなる、
ことを特徴とする請求項９、１０、１１又は１２に記載のアソシエーションリフレッシュシステム装置。
【請求項１４】
前記コネクション管理部は、
前記通信機器監視部が前記ソフトルートは切断されていると判断した場合に、前記通信機器通信部に対してヘルスチェックの要求を行ない、
当該通信機器通信部からタイムアウト通知を受信した場合及びヘルスチェックの結果がコネクション異常を示す内容である旨の通知を受信した場合は、当該通信機器通信部に対してコネクションリフレッシュの要求をする仕組みからなる、ことを特徴とする請求項１３に記載のアソシエーションリフレッシュシステム装置。
【請求項１５】
前記通信機器通信部は、
前記コネクション管理部からヘルスチェックの要求を受けた場合は、前記通信機器に対してヘルスチェックの要求を送信し、
当該ヘルスチェックの要求に対する応答であるヘルスチェックの結果を前記通信機器から受信し、
当該ヘルスチェックの結果を前記コネクション管理部へ送る仕組みのものであって、
前記コネクション管理部から発せられたコネクションリフレッシュの要求を受けた場合も、
前記通信機器に対するコネクションを切断し、更に当該通信機器に対するコネクションの再確立を実施する仕組みをも有する、
ことを特徴とする請求項１３又は１４に記載のアソシエーションリフレッシュシステム装置。
【発明の詳細な説明】
【０００１】
【発明の属する技術分野】
本発明は、複数の通信機器を遠隔から集約的に監視・制御するオペレーションシステムに用いられる通信機器監視制御方法及びアソシエーションリフレッシュシステム装置に関するものである。
【０００２】
【従来の技術】
通信機器とその通信機器を遠隔から集約的に監視するオペレーションシステムとは、データ回線にて結ばれる。通信機器から自律的に発せられる自律メッセージの監視、オペレーションシステムによる遠隔からの通信機器の制御、通信機器の運用ファイルの更新等の業務は、前記データ回線を用いて行なわれる。
【０００３】
通信機器とオペレーションシステムの間のコネクションが切断された場合は、オペレーションシステムは、切断信号の受信を契機として、通信機器とのコネクションを新たに確立することができる。
【０００４】
例えば、通信機器とオペレーションシステムの間の通信に、ＤＤＸ−Ｐ等を用いる場合は、通信機器とオペレーションシステムとの間には常時コネクションが張られる。なお、ＤＤＸ−Ｐ（ｄｉｇｉｔａｌ  ｄａｔａ  ｅｘｃｈａｎｇｅ  −  Ｐ）とは、パケット通信方式において、端末とパケット交換機間をディジタルの専用回線で直結して直接アクセスする方式である。
【０００５】
そのため、通信機器に故障等が生じた場合は、コネクションが切断され、オペレーションシステムにはコネクションが切断されたことを示す切断信号が送信される。この場合オペレーションシステムは、自らコネクションを張り直すことにより、通信機器の監視を続ける。
【０００６】
【発明が解決しようとする課題】
しかしながら、通信機器とオペレーションシステムをＴＣＰ／ＩＰにて結ぶ場合は、ＴＣＰの仕様から通信元のハード故障又はネットワーク故障等のいくつかのケースで通信先がリアルタイムにコネクション切断を確認することができない。従って、通信機器の故障、又は網障害によって物理的にコネクションが切断されていても、オペレーションシステムは、そのコネクションの異常を検出できないので、コネクションの再接続を行なわず、通信機器を監視することが実質不可能となる。
【０００７】
すなわち、通信機器とオペレーションシステムの間の通信にＴＣＰ／ＩＰを用いた場合は、通信機器とオペレーションシステムの間で常時確立されているコネクションは、あくまでも通信機器とオペレーションシステム間でのみコネクションが張られていることを確認する。つまりデータ回線側ではそのコネクションの存在は把握せず、またＴＣＰレベルのコネクションの切断はあくまでも端末間同士のやり取りで行なうこととなっている。
【０００８】
これはＴＣＰの仕様によるものである。そのため、通信機器の故障又はデータ回線障害等が生じた場合は、通信機器又はデータ回線側がＴＣＰレベルの切断処理をすることができないため、前記故障等により論理的にコネクションが切断されていても、オペレーションシステムに当該コネクションが切断されたということを通知する手段がない。そこで、オペレーションシステムは、通信機器の故障又はデータ回線障害等が生じた以降、通信機器を監視できなくなってしまう。
【０００９】
ここにおいて、本発明の解決すべき主要な目的は以下の通りである。
即ち、本発明の第１の目的は、オペレーションシステムによる通信機器の監視又は制御が不可能となる期間を削減することを可能とする通信機器監視制御方法及びアソシエーションリフレッシュシステム装置を提供せんとするものである。
【００１０】
本発明の第２の目的は、通信機器とオペレーションシステムの間の通信にＴＣＰ／ＩＰを用いた場合であっても、ＤＤＸ−Ｐを用いた場合と同様に、通信機器又はデータ回線に障害等が生じた後も、オペレーションシステムが通信機器の監視及び制御をし続けることを可能とする通信機器監視制御方法及びアソシエーションリフレッシュシステム装置を提供せんとするものである。
【００１１】
本発明の第３の目的は、オペレーションシステムが通信機器に対して２つのコネクションを確立し、一方のコネクションから送信されるメッセージによって、他方のコネクションが切断されていることを認知することを可能とする通信機器監視制御方法及びアソシエーションリフレッシュシステム装置を提供せんとするものである。
【００１２】
本発明の他の目的は、明細書、図面、特に、特許請求の範囲における各請求項の記載から自ずと明らかとなろう。
【００１３】
【課題を解決するための手段】
本発明方法は、上記課題の解決に当たり、オペレーションシステムは、通信機器に対してソフトルートとハードルートの２つのコネクションを確立し、ハードルートから送信されるメッセージによって、通信機器とオペレーションシステム間のソフトルートが切断されたことを認知してなる構成手法を講じる特徴を有する。
【００１４】
本発明装置は、上記課題の解決に当たり、オペレーションシステムと通信機器との間では、ＴＣＰ／ＩＰを用いる第１コネクションとＴＣＰ／ＩＰを用いない第２コネクションとからなる２つのコネクションが確立されており、前記オペレーションシステムは、前記通信機器から送信されるメッセージであって、前記第２コネクションから送信されるメッセージによって、当該通信機器と当該オペレーションシステムの間の前記第１コネクションが切断されたことを認知する仕組みからなる構成手段を講じる特徴を有する。
【００１５】
更に、具体的詳細に述べると、当該課題の解決では、本発明が次に列挙する上位概念から下位概念にわたる新規な特徴的構成手法又は手段を採用することにより、上記目的を達成するように為される。
【００１６】
即ち、本発明方法の第１の特徴は、ネットワークを構成する複数の通信機器を所定の通信プロトコルを用いて通信してオペレーションシステムが管理する通信機器監視制御方法であって、前記オペレーションシステムと前記通信機器との間では、前記所定の通信プロトコルを用いる第１コネクションと当該所定の通信プロトコルを用いない第２コネクションとからなる２つのコネクションが確立されており、前記通信機器から送信されるメッセージであって、前記第２コネクションを介して送信されるメッセージによって、当該通信機器と前記オペレーションシステムの間の前記第１コネクションが切断されたことを認知してなる通信機器監視制御方法の構成採用にある。
【００１７】
本発明方法の第２の特徴は、上記本発明方法の第１の特徴における前記所定の通信プロトコルが、ＴＣＰ／ＩＰからなる通信機器監視制御方法の構成採用にある。
【００１８】
本発明方法の第３の特徴は、上記本発明方法の第１又は第２の特徴における前記第１コネクションが、ＴＣＰ／ＩＰを用いて前記通信機器が自律的に通知するメッセージである自律メッセージ及び制御コマンドを通信する論理コネクションであるソフトルートからなり、前記第２コネクションは、ＴＣＰ／ＩＰを用いずに前記通信機器の特定の前記自律メッセージ及び特定制御コマンドを通信する論理コネクションであるハードルートからなる通信機器監視制御方法の構成採用にある。
【００１９】
本発明方法の第４の特徴は、上記本発明方法の第３の特徴における前記通信機器から送信されるメッセージが、当該通信機器と前記オペレーションシステムの間の前記ソフトルートが切断されたことを示すものであって前記ハードルート経由で送信されるメッセージからなる通信機器監視制御方法の構成採用にある。
【００２０】
本発明方法の第５の特徴は、上記本発明方法の第３の特徴における前記通信機器から送信されるメッセージが、当該通信機器が前記オペレーションシステムに自律的に送信する前記ソフトルート経由のメッセージが一定期間以上送信されていないことを示すメッセージからなる通信機器監視制御方法の構成採用にある。
【００２１】
本発明方法の第６の特徴は、上記本発明方法の第１、第２、第３、第４又は第５の特徴における前記オペレーションシステムが、前記通信機器と当該オペレーションシステムの間の前記第１コネクションの切断を認知した場合は、当該第１コネクションの再接続を行ない、当該通信機器の監視を続けてなる通信機器監視制御方法の構成採用にある。
【００２２】
本発明方法の第７の特徴は、ネットワークを構成する複数の通信機器につきＴＣＰ／ＩＰを用いて通信して管理する通信機器監視制御方法であって、前記通信機器のハードルートから、当該通信機器が自律的に通知するメッセージである自律メッセージを受信して、当該自律メッセージの内容から当該通信機器とのコネクションが切断していることを判断する切断判断処理と、前記通信機器から発せられた前記自律メッセージを監視し、定期的に送られてくるべき当該自律メッセージが定期的に送られているか否かを判断するメッセージ判断処理と、当該メッセージ判断処理で定期的に送られてくるべき前記自律メッセージが定期的に送られていないと判断された場合に、当該通信機器に対してヘルスチェックの要求をして、コネクションが正常であるか否かを判断するコネクション判断処理と、前記切断判断処理及び前記コネクション判断処理のいずれかによってコネクションが正常ではないと判断された場合に、当該通信機器に対するコネクションを強制的に切断し、その後に再接続する再接続処理と、を順次一貫経由して実施してなる通信機器監視制御方法の構成採用にある。
【００２３】
本発明方法の第８の特徴は、上記本発明方法の第７の特徴における前記通信機器の管理が、オペレーションシステムが行なうものであり、当該オペレーションシステムは、汎用計算機を有してなる通信機器監視制御方法の構成採用にある。
【００２４】
本発明装置の第１の特徴は、ネットワークを構成する複数の通信機器と、当該通信機器につきＴＣＰ／ＩＰを用いて通信して監視及び制御するオペレーションシステムと、を有してなるアソシエーションリフレッシュシステム装置であって、前記オペレーションシステムと前記通信機器との間では、ＴＣＰ／ＩＰを用いる第１コネクションとＴＣＰ／ＩＰを用いない第２コネクションとからなる２つのコネクションが確立されており、前記オペレーションシステムは、前記通信機器から送信されるメッセージであって、前記第２コネクションから送信されるメッセージによって、当該通信機器と当該オペレーションシステムの間の前記第１コネクションが切断されたことを認知する働きを有してなるアソシエーションリフレッシュシステム装置の構成採用にある。
【００２５】
本発明装置の第２の特徴は、上記本発明装置の第１の特徴における前記第１コネクションが、ＴＣＰ／ＩＰを用いて、前記通信機器が自律的に通知するメッセージである自律メッセージ及び制御コマンドを通信する論理コネクションであるソフトルートからなり、前記第２コネクションは、ＴＣＰ／ＩＰを用いずに、前記通信機器の特定の前記自律メッセージ及び特定制御コマンドを通信する論理コネクションであるハードルートからなるアソシエーションリフレッシュシステム装置の構成採用にある。
【００２６】
本発明装置の第３の特徴は、上記本発明装置の第２の特徴における前記通信機器から送信されるメッセージが、当該通信機器と前記オペレーションシステムの間の前記ソフトルートが切断されたことを示すものであって前記ハードルート経由で送信される第１メッセージと、当該通信機器が前記オペレーションシステムに自律的に送信する前記ソフトルート経由のメッセージが一定期間以上送信されていないことを示す第２メッセージと、の内の１つ以上からなるアソシエーションリフレッシュシステム装置の構成採用にある。
【００２７】
本発明装置の第４の特徴は、上記本発明装置の第１、第２又は第３の特徴における前記オペレーションシステムが、前記通信機器と当該オペレーションシステムとの間のコネクションの切断を認知した場合は、当該通信機器に対するコネクションを切断し、当該コネクションの再接続を行ない、当該通信機器の監視を続ける働きを有してなるアソシエーションリフレッシュシステム装置の構成採用にある。
【００２８】
本発明装置の第５の特徴は、上記本発明装置の第１、第２、第３又は第４の特徴における前記オペレーションシステムが、前記通信機器の警報状況を監視する通信機器監視部と、前記通信機器と当該オペレーションシステムとのコネクション状態を管理するコネクション管理部と、前記通信機器と当該オペレーションシステムとのコネクションの確立及び切断を実行する通信機器通信部と、を有してなり、前記第１コネクション及び前記第２コネクションは、前記通信機器と前記通信機器通信部との間で確立されており、前記通信機器監視部は、前記通信機器監視部によって受信されたメッセージが前記ハードルートを介して送られてきたメッセージであって、前記ソフトルートが切断されていることを示すメッセージである場合と、所定時間以上にわたって前記通信機器からソフトルートを介して所定のメッセージが前記通知されなかった場合と、の内のいずれか１以上になったときは、前記ソフトルートが切断されていると判断するものからなるアソシエーションリフレッシュシステム装置の構成採用にある。
【００２９】
本発明装置の第６の特徴は、上記本発明装置の第５の特徴における前記コネクション管理部が、前記通信機器監視部が前記ソフトルートは切断されていると判断した場合に、前記通信機器通信部に対してヘルスチェックの要求を行ない、当該通信機器通信部からタイムアウト通知を受信した場合及びヘルスチェックの結果がコネクション異常を示す内容である旨の通知を受信した場合は、当該通信機器通信部に対してコネクションリフレッシュの要求をする仕組みからなるアソシエーションリフレッシュシステム装置の構成採用にある。
【００３０】
本発明装置の第７の特徴は、上記本発明装置の第５又は第６の特徴における前記通信機器通信部が、前記コネクション管理部からヘルスチェックの要求を受けた場合は、前記通信機器に対してヘルスチェックの要求を送信し、当該ヘルスチェックの要求に対する応答であるヘルスチェックの結果を前記通信機器から受信し、当該ヘルスチェックの結果を前記コネクション管理部へ送る仕組みのものであって、前記コネクション管理部から発せられたコネクションリフレッシュの要求を受けた場合も、前記通信機器に対するコネクションを切断し、更に当該通信機器に対するコネクションの再確立を実施する仕組みをも有してなるアソシエーションリフレッシュシステム装置の構成採用にある。
【００３１】
【発明の実施の形態】
以下、添付図面を参照しながら、本発明の実施の形態をシステム装置例及び方法例につき説明する。
【００３２】
なお、本発明は、オペレーションシステムと通信機器との間に、ソフトルートとハードルートの２つのコネクションを確立し、オペレーションシステムがハードルートから送信されるメッセージによってソフトルートが切断されたことを認知して、コネクションの再接続を行ない通信機器の監視を続行することを可能とするものであるが、本実施形態例では、オペレーションシステムの構成要素として、通信機器監視部、コネクション管理部及び通信機器通信部を揚げて説明するもこれ等に限定されるものではない。
【００３３】
（システム装置例）
図１は、本システム装置例の概略を示す概念的構成ブロック図である。
図中、１は通信機器を監視・制御するオペレーションシステム、２はオペレーションシステム１の監視・制御の対象となる通信機器である。
【００３４】
オペレーションシステム１は、通信機器２の警報状況を監視する通信機器監視部１１と、通信機器２と当該オペレーションシステム１とのコネクション状態を管理するコネクション管理部１２と、通信機器２と当該オペレーションシステム１とのコネクションの確立及び切断を実行する通信機器通信部１３とを備えている。
【００３５】
通信機器２とオペレーションシステム１の通信機器通信部１３とは、論理コネクションであるソフトルート２１（第１コネクション）と、論理コネクションであるハードルート２２（第２コネクション）とで結ばれている。ソフトルート２１は、ＴＣＰ／ＩＰを用いて通信機器２の自律メッセージ又は制御コマンドを通信する。ハードルート２２は、ＴＣＰ／ＩＰを用いずに通信機器２の特定の自律メッセージ又は特定制御コマンドを通信する。なお、ハードルート２２は、コンソールルートともいう。
【００３６】
（方法例）
図２乃至図６及び図１を参照して本方法例につき説明する。
図２は、オペレーションシステム１における通信機器監視部１１の動作を示すフローチャートである。
【００３７】
図１に示す通信機器２が自律的に通知するメッセージ（「自律メッセージ」という。）は、ソフトルート２１又はハードルート２２並びに通信機器通信部１３を介して通信機器監視部１１に送信される。この自律メッセージを受信することで、通信機器監視部１１は通信機器２の装置状態を監視している。
【００３８】
通信機器監視部１１が通信機器２よりソフトルート２１を介して自律メッセージを受信すると（ＳＴ１）、前回の自律メッセージの受信時に登録したタイマを解除する（ＳＴ２）。その後、新たな自律メッセージの受信を期待する時刻を、新規にタイマに登録する（ＳＴ３）。
【００３９】
更に、通信機器監視部１１によって受信された自律メッセージがハードルート２２を介して送られてきた自律メッセージであって、実質的にソフトルート２１が切断されている事象となる障害を示すメッセージであるか否かを、通信機器監視部１１は判断する（ＳＴ４）。即ち、通信機器監視部１１は、ハードルート２２を介して送られてきた自律メッセージを受信することで、ソフトルート２１が切断されていると判断する。
【００４０】
ＳＴ４で実質的にソフトルート２１が切断されている事象となる障害を示すメッセージを受信したと判断した場合は、通信機器監視部１１はコネクション管理部１２に対してヘルスチェックを要求する（ＳＴ５）。なお、ヘルスチェックの要求とは、通信機器２とオペレーションシステム１とのコネクション状況の確認を、通信機器２に対して求める要求をいう。
【００４１】
図３は、通信機器監視部１１における図２の動作以外の動作を示すフローチャートである。
図２におけるＳＴ３の新規のタイマ登録で登録した時刻になっても、通信機器２からソフトルート２１を介して通信機器監視部１１に自律メッセージが通知されなかった場合、即ちタイムアウト通知を受信した場合は（ＳＴ１１）、図２のＳＴ５と同様に、通信機器監視部１１はコネクション管理部１２に対してヘルスチェックを要求する（ＳＴ１２）。
【００４２】
即ち、通信機器２がオペレーションシステム１へ自律的に送信するメッセージであって、ソフトルート２１を介して送信されるメッセージが、一定期間以上にわたって通信機器監視部１１において受信されていない場合は、通信機器監視部１１はソフトルート２１が切断されていると判断する。
【００４３】
図４は、オペレーションシステム１におけるコネクション管理部１２の動作を示すフローチャートである。
図２のＳＴ５又は図３のＳＴ１２で通信機器監視部１１から発せられたヘルスチェックの要求を受信したコネクション管理部１２は（ＳＴ２１）、通信機器通信部１３に対してヘルスチェックの要求を送信する（ＳＴ２２）。そして、コネクション管理部１２は、タイマ登録を行なう（ＳＴ２３）。
【００４４】
その後、コネクション管理部１２は、ＳＴ２３でしたタイマ登録についてのタイムアウト通知、又は通信機器通信部１３から発せられたヘルスチェックの結果を受信する（ＳＴ２４）。ＳＴ２４でタイムアウト通知を受信した場合（ＳＴ２５）、又はヘルスチェックの結果がコネクション異常を示す内容である場合（ＳＴ２６）は、コネクション管理部１２は通信機器通信部１３に対してコネクションリフレッシュの要求を送信する（ＳＴ２７）。
【００４５】
図５は、オペレーションシステム１における通信機器通信部１３の動作を示すフローチャートである。
図４のＳＴ２２でコネクション管理部１２から発せられたヘルスチェックの要求を受信した通信機器通信部１３は（ＳＴ３１）、通信機器２に対してヘルスチェックの要求を送信する（ＳＴ３２）。このヘルスチェックの要求はソフトルート２１を介して行なう。その後、通信機器通信部１３は、ヘルスチェックの要求に対する応答であるヘルスチェックの結果を通信機器２から受信する（ＳＴ３３）。その後、通信機器通信部１３は、ヘルスチェックの結果をコネクション管理部１２へ送信する（ＳＴ３４）。
図６は、通信機器通信部１３における図５の動作以外の動作を示すフローチャートである。
図４のＳＴ２７でコネクション管理部１２から発せられたコネクションリフレッシュの要求を受信した通信機器通信部１３は（ＳＴ４１）、通信機器２に対するコネクションを切断し（ＳＴ４２）、更に通信機器２に対するコネクションの再確立を実施する（ＳＴ４３）。これらにより、通信機器通信部１３は、通信機器２とオペレーションシステム１の間のソフトルート２１のコネクションをリフレッシュする。
【００４６】
これらにより、本方法例によれば、複数の通信機器２を遠隔から集約的に監視・制御するオペレーションシステム１において、通信機器２とオペレーションシステム１とをＴＣＰ／ＩＰを用いて接続しても、通信機器２とオペレーションシステム１の間のコネクション断を早期に検出することが可能となるので、オペレーションシステム１が通信機器２を監視・制御することが不能となる期間を最小限に抑えることが可能となる。
【００４７】
以上、本発明の代表的なシステム装置例及び方法例について説明したが、本発明は、必ずしも上記した事項に限定されるものではない。本発明の目的を達し、下記する効果を奏する範囲において、適宜変更実施可能である。例えば、オペレーションシステム１としては、汎用計算機を用いて構成することが可能である。
【００４８】
【発明の効果】
以上説明したように、本発明によれば、オペレーションシステムと通信機器との間で、第１コネクション（ソフトルート）と第２コネクション（ハードルート）の２つのコネクションが確立して、第２コネクションを介して送信されるメッセージによって第１コネクションが切断されたことを認知するので、第１コネクションとしてＴＣＰ／ＩＰを用いた場合であっても、その第１コネクションが切断されたことをリアルタイムで認識することが可能となり、オペレーションシステムが通信機器を監視・制御することが不能となる期間を最小限に抑えることが可能となる。
【図面の簡単な説明】
【図１】本発明の実施形態であるシステム装置例の概念的構成ブロック図である。
【図２】同上の通信機器監視部１１の動作を示すフローチャートである。
【図３】通信機器監視部１１における他の動作を示すフローチャートである。
【図４】同上のコネクション管理部１２の動作を示すフローチャートである。
【図５】同上の通信機器通信部１３の動作を示すフローチャートである。
【図６】通信機器通信部１３における他の動作を示すフローチャートである。
【符号の説明】
１…オペレーションシステム
２…通信機器
１１…通信機器監視部
１２…コネクション管理部
１３…通信機器通信部
２１…ソフトルート
２２…ハードルート
【図１】
0003574058.tif 000002
【図２】
0003574058.tif 000003
【図３】
0003574058.tif 000004
【図４】
0003574058.tif 000005
【図５】
0003574058.tif 000006
【図６】
0003574058.tif 000007